(57)【要約】【課題】ガイドローラ部材の基体に対する傾きの調整が可能な部材等の提供。【解決手段】部材は、基体と、該基体に固定され所定のテープの進行方向を決めるガイドローラ部材とを備え、前記ガイドローラ部材は、基部と、前記基部に固定された回転軸とを備え、前記基部は、前記基体を貫通する複数のねじ穴に挿通された複数のねじの先端部と前記基部に接続又は接触された突部に、前記基体に関し前記回転軸と同じ側で同時に接触する。【選択図】      図８
2020070179.tif 000002
【特許請求の範囲】
【請求項１】
基体と、該基体に固定され所定のテープの進行方向を決めるガイドローラ部材とを備え、
前記ガイドローラ部材は、基部と、前記基部に固定された回転軸とを備え、
前記基部は、前記基体を貫通する複数のねじ穴に挿通された複数のねじの先端部と前記基部に接続又は接触された突部に、前記基体に関し前記回転軸と同じ側で同時に接触する、
部材。
【請求項２】
前記基体と前記基部との間にスペーサが設けられている、請求項１に記載された部材。
【請求項３】
前記スペーサは前記複数のねじのうちの一つと他の一つとの間に設けられている、請求項２に記載された部材。
【請求項４】
前記スペーサは、前記基体と前記基部とのうちのいずれか一方に接続されている、請求項２又は請求項３に記載された部材。
【請求項５】
前記スペーサの厚みは、前記突部の前記基体からの高さよりも薄い、請求項２乃至請求項４のうちのいずれか一に記載された部材。
【請求項６】
前記ガイドローラ部材は、前記固定の前に、前記基体の上の前記突部と前記スペーサとの上に載置され得る、請求項２乃至請求項５のうちのいずれか一に記載された部材。
【請求項７】
請求項１乃至請求項６のうちのいずれか一に記載された部材を備え、前記テープが磁気テープである磁気テープ装置。
【請求項８】
基体と、テープを所定の位置に導くための、前記基体に固定されたガイドローラ部材とからなり、
前記ガイドローラ部材は、基部と、前記基部に固定された回転軸と、前記回転軸の周囲を回転し得るガイドローラを備え、
前記基部は、前記基体に形成された第一ねじ穴に挿入された第一ねじの先端部と、前記基体に形成された第二ねじ穴に挿入された第二ねじの先端部と、前記基部に接続又は接触された突部と、の上に設置された上で固定されている、
部材、
における、前記回転軸と前記基体とのなす角度を調整する方法であって、
前記基体の上のスペーサ及び前記突部の上に前記ガイドローラ部材を載置し、
前記第一ねじの先端部及び前記第二ねじの先端部の各々の前記基体からの高さを調整し、
その後に前記固定を行う、
調整方法。
【請求項９】
前記スペーサは、前記基体及び前記基部のうちのいずれかに接続されている、請求項８に記載された調整方法。
【請求項１０】
前記スペーサは、前記基体及び前記基部のうちのいずれにも接続されておらず、前記調整の後に除去される、請求項９に記載された調整方法。
【発明の詳細な説明】
【技術分野】
【０００１】
本発明は、テープを誘導するガイドローラに関する。
【背景技術】
【０００２】
磁気テープ装置は、一般的に、カセットに収容された磁気テープを、磁気テープ装置が備えるリールに巻き取り、あるいは、リールに巻き取った磁気テープをカセットに巻き取る機構を備える。そして、磁気テープ装置は、磁気テープをカセットからリールへ、又は、リールからカセットへ巻き取る際に、磁気テープを所定の位置を通過させるガイドローラ部材を備える。
【０００３】
図１は、一般的な磁気テープ装置の例である磁気テープ装置１００の構成を表す概念図である。磁気テープ装置１００は、図示しないカセットからリール２６１へ磁気テープを巻取り、あるいは、リール２６１に巻き取った磁気テープをカセットに巻き取る際にテープをガイドするガイドローラ部材１０６ａ乃至１０６ｄを備える。
【０００４】
ここで、特許文献１は、磁気テープを引き出す移動台と、移動台を回転ドラムの外周に案内し、基準面上において停止させるガイドと、移動台をガイドに沿って移動させるローディングリングとを備えるテープローディング装置を開示する。
【０００５】
また、特許文献２は、コリメータレンズと、コリメータレンズを組み付けるときの基準となる組立て基準と、前記コリメータレンズの光軸の傾きを調整する傾き調整手段と、を有する光源装置を開示する。
【先行技術文献】
【特許文献】
【０００６】
【特許文献１】実開昭６３−０６５１４５号公報
【特許文献２】特開２００６−０８８５６９号公報
【発明の概要】
【発明が解決しようとする課題】
【０００７】
ここで、磁気テープの巻取り動作を良好に行わせるためには、ガイドローラ部材の設置面への設置角度を精度良く調整することが重要である。ガイドローラ部材は、一般的に、ガイドローラの回転軸の底面部材に対する傾きのばらつきを有している。そのため、磁気テープ装置１００に一律に設置した場合には、磁気テープの巻取り動作に不良が生じる可能性があるためである。
【０００８】
本発明は、ガイドローラ部材の基体に対する傾きの調整が可能な部材等の提供を目的とする。
【課題を解決するための手段】
【０００９】
本発明の部材は、基体と、該基体に固定され所定のテープの進行方向を決めるガイドローラ部材とを備え、前記ガイドローラ部材は、基部と、前記基部に固定された回転軸とを備え、前記基部は、前記基体を貫通する複数のねじ穴に挿通された複数のねじの先端部と前記基部に接続又は接触された突部に、前記基体に関し前記回転軸と同じ側で同時に接触する。
【発明の効果】
【００１０】
本発明の部材等は、ガイドローラ部材の基体に対する傾きの調整が可能である。
【図面の簡単な説明】
【００１１】
【図１】一般的な磁気テープ装置の構成例を表す概念図である。
【図２】第一実施形態のガイドローラ部材及びデッキベースの構成例を表す斜視概念図である。
【図３】図２に表すガイドローラ部材及びデッキベースの上面概念図である。
【図４】図２に表すガイドローラ部材及びデッキベースの断面概念図（その１）である。
【図５】図２に表すガイドローラ部材及びデッキベースの断面概念図（その２）である。
【図６】図２に表すガイドローラ部材及びデッキベースの分解斜視概念図である。
【図７】治具を用いて組み立てることを想定したガイドローラ部材及びデッキベースを表す分解斜視図である。
【図８】第一実施形態のガイドローラ部材のデッキベースへの設置手順を表す図（その１）である。
【図９】第一実施形態のガイドローラ部材のデッキベースへの設置手順を表す図（その２）である。
【図１０】第一実施形態のガイドローラ部材のデッキベースへの設置手順を表す図（その３）である。
【図１１】第一実施形態のガイドローラ部材のデッキベースへの設置手順を表す図（その４）である。
【図１２】第一実施形態のガイドローラ部材のデッキベースへの設置手順を表す図（その５）である。
【図１３】第一実施形態のガイドローラ部材のデッキベースへの設置手順を表す図（その６）である。
【図１４】第二実施形態のガイドローラ部材及びデッキベースの構成例を表す斜視概念図である。
【図１５】第二実施形態のガイドローラ部材及びデッキベースの上面概念図である。
【図１６】第二実施形態のガイドローラ部材及びデッキベースの断面概念図（その１）である。
【図１７】第二実施形態のガイドローラ部材及びデッキベースの断面概念図（その２）である。
【図１８】第二実施形態のガイドローラ部材のデッキベースへの設置手順を表す図（その１）である。
【図１９】第二実施形態のガイドローラ部材のデッキベースへの設置手順を表す図（その２）である。
【図２０】第二実施形態のガイドローラ部材のデッキベースへの設置手順を表す図（その３）である。
【図２１】実施形態の磁気テープ装置の最小限の構成を表すブロック図である。
【発明を実施するための形態】
【００１２】
＜第一実施形態＞
第一実施形態は、回転軸のデッキベースとなす角度を調整可能な磁気テープの部分構造に関する実施形態である。
［構成と動作］
図２は、本実施形態のガイドローラ部材及びデッキベースの例であるガイドローラ部材１０６及びデッキベース２０１の構成例を表す斜視概念図である。
【００１３】
図２に表すガイドローラ部材１０６及びデッキベース２０１は、図１に表す磁気テープ装置１００のガイドローラ部材１０６ａ乃至１０６ｄ及びデッキベース２０１として適用可能なものである。
【００１４】
なお、デッキベース２０１は、図１に表す磁気テープ装置１００の、ガイドローラ部材１０６ａ乃至１０６ｄを設置するための共通の部材である。図２に表すデッキベース２０１は、図１に表すデッキベース２０１の一部である。
【００１５】
ガイドローラ部材１０６は、台座２２１と、回転軸２１１と、ガイドローラ２００とを備える。
【００１６】
回転軸２１１は、台座２２１の面に対して略垂直な方向に固定されている。
【００１７】
ガイドローラ２００の面２７１はガイドされる磁気テープが接する面である。面２７１には、磁気テープの滑りを押さえる滑り止めが形成されている。ガイドローラ２００は、図示しないベアリング部材を介して、回転軸２１１に接続されている。当該接続により、ガイドローラ２００は回転軸２１１の周りを回転し得る。
【００１８】
台座２２１は、デッキベース２０１に固定されている。台座２２１の底面とデッキベース２０１の上面とのなす角度は、以下に説明する機構により調整が可能である。
【００１９】
図３は、図２に表すガイドローラ部材１０６及びデッキベース２０１の上面図である。図４は、ガイドローラ部材１０６及びデッキベース２０１を、図３に表す線９９８ａで切断した場合を想定した断面図である。図５は、ガイドローラ部材１０６及びデッキベース２０１を、図３に表す線９９８ｂ又は９９８ｃで切断した場合を想定した断面図である。なお、図３乃至図４には、図２に表す滑り止め２７２は図示を省略してある。
【００２０】
ガイドローラ部材１０６は、台座２２１と、ガイドローラ２００と、ベアリング部材２３６ａ及び２３６ｂとを備える。
【００２１】
回転軸２１１は、図４及び図５に表すように、台座２２１の上面に、当該上面に対してだいたい垂直になるように固定されている。
【００２２】
ガイドローラ２００は、ベアリング部材２３６ａを介して、回転軸２１１に接続されている。ガイドローラ２００は、ベアリング部材２３６ａが備えるベアリング２１６の回転により、回転軸２１１の周囲を回転し得る。
【００２３】
図４に表すように、デッキベース２０１には、突部２２６が形成されている。
【００２４】
また、デッキベース２０１には、側面に所定のねじ溝が形成されているねじ穴２５１ｂ及び２５１ｃが形成されている。ねじ穴２５１ｂ及び２５１ｃにはねじ２３１ｂ及び２３１ｃが挿入されている。ねじ２３１ｂ及び２３１ｃの各々の側面には、前記ねじ溝と螺合し得るねじ山が形成されている。
【００２５】
図５に表すように、ねじ２３１ｂ及び２３１ｃは、デッキベース２０１の上面である面９０１ａから、各々、高さｈｂ又はｈｃだけ上方へ突出している。
【００２６】
台座２２１は、その下面である面９０１ｂが、突部２２６並びにねじ２３１ｂ及び２３１ｃの各々の上端に接触した状態で、デッキベース２０１に固定されている。この固定は、台座２２１に形成されたねじ穴２５３に、ねじ穴２５３に螺合し得るねじ３０６の軸３０７が挿入され、ワッシャー３１１を介してねじ３０６により締め付けられることにより行われている。
【００２７】
デッキベース２０１の面９０１ａに対する回転軸２１１の長手方向のなす角度は、高さｈａ、ｈｂ及びｈｃにより調整され得る。ここで、高さｈａは、図４に表す突部２２６の高さである。また、高さｈｂは、ねじ２３１ｂが面９０１ａから突出している高さである。また、高さｈｃは、ねじ２３１ｃが面９０１ａから突出している高さである。
［ガイドローラ部材のデッキベースへの設置方法］
図６は、図２に表すガイドローラ部材１０６の分解斜視概念図である。
【００２８】
図６に表す各構成を組み上げて図２に表す状態にするためには、まず、デッキベース２０１に形成されたねじ穴２５１ｂにねじ２３１ｂを、ねじ穴２５１ｃにねじ２３１ｃを、各々挿入して、粗調整を行う。当該粗調整は、ねじ２３１ｂ及び２３１ｃの各々の上端をデッキベース２０１の上面から、適量、突出させるものである。
【００２９】
この粗調整を、ねじ２３１ｂ及び２３１ｃの各々の上端のデッキベース２０１上面からの突出長さが所定の値になるように行うことが重要である。その理由は、前記突出長さが所定の量にならないと、その後に行う微調整を精度良く行うことが困難なためである。
【００３０】
この点を解決し得る方法として、次に説明するように、治具を用いる方法がある。
【００３１】
図７は、治具３０１を用いて組み立てることを想定したガイドローラ部材１０６を表す分解斜視図である。
【００３２】
図７に表すガイドローラ部材１０６においては、デッキベース２０１の前面近傍に治具３０１が取り付けられている。治具３０１上面である面９０１ｄのデッキベース２０１の上面である面９０１ａからの高さは、突部２２６の上端の面９０１ａからの高さよりやや低くなっている。回転軸２１１の調整の自由度を増やすためである。
【００３３】
本実施形態におけるガイドローラ部材１０６の組立ては、以下に説明する手順で行われる。
【００３４】
図８乃至図１３は、本実施形態のガイドローラ部材１０６のデッキベース２０１への設置手順を表す図である。また、図８、図１０及び図１１の各々における（ａ）、（ｂ）及び（ｃ）の各々は、ガイドローラ部材１０６を図３に表す線９９８ａ、９９８ｂ及び９９８ｃの各々に沿って切断した場合を想定した断面図である。なお、図８乃至図１４においては、図４乃至図６に表すガイドローラ部材１０６の構成のうち、ガイドローラ２００、ベアリング部材２３６ａ及び２３６ｂ、並びに、回転軸２１１のうちの上方の部分は、図示を省略してある。
【００３５】
まず、図８（ａ）に表すようにデッキベース２０１の面９０１ａに治具３０１を設置し、その上に、図８（ａ）乃至（ｃ）に表すように、ねじ穴２５３の中心軸が穴２５６の中心軸と一致するように、台座２２１を載せる。これにより、ガイドローラ部材１０６は、支えなしに、治具３０１及び突部２２６上に載置される。
【００３６】
図９は、図８に表す状態に対応する斜視図である。
【００３７】
図９に表す状態で、デッキベース２０１のねじ穴にねじ２３１ｂ及び２３１ｃが挿入される。
【００３８】
図１０（ａ）乃至（ｃ）は、デッキベース２０１のねじ穴２５１ｂ及び２５１ｃの各々にねじ２３１ｂ及び２３１ｃの各々が挿入された様子を表す図である。
【００３９】
この状態で、ねじ２３１ｂ及び２３１ｃの各々の上端とデッキベース２０１の上面である面９０１ａとの距離である高さｈｂ及びｈｃは、治具３０１の上面である面９０１ｃと面９０１ａとの距離である高さｈｊよりわずかに高くされている。そのため、面９０１ｃの上方には微小な隙間である隙間９１１が生じている。
【００４０】
図１０（ａ）乃至（ｃ）においては、ガイドローラ部材１０６は、突部２２６、ねじ２３１ｂの上端及びねじ２３１ｃの上端の上に載置されている。
【００４１】
図１０に表す状態から、図１１（ａ）乃至（ｃ）の断面図及び図１２の斜視図に表すように、治具３０１をデッキベース２０１と台座２２１の間から引き抜く。
【００４２】
その後、ねじ２３１ｂ及び２３１ｃの各々の、ねじ穴２５１ｂ及び２５１ｃの各々への挿入量を微調整することにより、回転軸２１１のデッキベース上面に対する角度を決める。当該微調整の具体的な方法は、本実施形態と関係しないので、その説明は省略される。
【００４３】
その後、図１３に表すように、ねじ３０６の軸が、穴２５６を通り、ねじ穴２５３に挿入されることにより、台座２２１はデッキベース２０１に固定され、台座２２１に固定されている回転軸２１１のデッキベース上面に対する、微調整された角度は維持される。
【００４４】
なお、以上の説明では突部がデッキベースに形成されている場合について説明したが、突部は台座に形成されていても構わない。
［効果］
本実施形態のガイドローラ部材の台座は、その下面が、デッキベースに形成された突部と、デッキベースに形成された二つの穴の各々に挿入された二つのねじの各々の先端部に接した状態で、デッキベースに固定される。そのため、ガイドローラ部材の回転軸のデッキベースに対する角度は、二つのねじの各々のデッキベースからの突出長さにより調整され得る。そのため、本実施形態のガイドローラ部材とデッキベースの組合せは、ガイドローラ部材のデッキベースに対する傾きの調整が可能である。
＜第二実施形態＞
本実施形態は、第一実施形態のガイドローラ部材のデッキベースへの設置を容易にする構成に関する実施形態である。
［構成と動作］
図１４は、第二実施形態のガイドローラ部材及びデッキベースの例であるガイドローラ部材１０６及びデッキベース２０１の構成を表す斜視概念図である。また、図１５は、図１４に表すガイドローラ部材１０６及びデッキベース２０１の上面概念図である。また、図１６は、ガイドローラ部材１０６及びデッキベース２０１を図１６に表す線９９８ａに沿って切断した場合を想定した断面概念図である。また、図１７は、ガイドローラ部材１０６及びデッキベース２０１を図１６に表す線９９８ｂ又は９９８ｃに沿って切断した場合を想定した断面概念図である。
【００４５】
図１４乃至図１７の説明は、台座２２１とデッキベース２０１との間にスペーサ部２４６が設けられている点を除き、図２乃至図５に表すガイドローラ部材１０６及びデッキベース２０１の説明と同じである。
【００４６】
スペーサ部２４６は、デッキベース２０１に形成されている。スペーサ部２４６の上面のデッキベース上面である面９０１ａからの高さである高さｈｓは、突部２２６の上面の面９０１ａからの高さである高さｈａに近いが、高さｈａよりやや低い。
［ガイドローラ部材のデッキベースへの設置方法］
図１８乃至図２０は、本実施形態のガイドローラ部材１０６のデッキベース２０１への設置手順を表す図である。図１８乃至図２０の各々における（ａ）、（ｂ）及び（ｃ）の各々は、ガイドローラ部材１０６を図１５に表す線９９８ａ、９９８ｂ及び９９８ｃの各々に沿って切断した場合を想定した断面図である。なお、図１８乃至図２０においては、図１５乃至図１７に表すガイドローラ部材１０６の構成のうち、ガイドローラ２００、ベアリング部材２３６ａ及び２３６ｂ、並びに、回転軸２１１のうちの上方の部分は図示を省略してある。
【００４７】
まず、図１８（ａ）に表すようにデッキベース２０１の上に、図８（ａ）乃至（ｃ）に表すように、ねじ穴２５３の中心軸が穴２５６の中心軸と一致するように、台座２２１を載せる。これにより、台座２２１、台座２２１に固定された回転軸２１１及び回転軸２１１に接続された図示しないベアリング部材やガイドローラは、支えなしに、スペーサ部２４６及び突部２２６上に載置される。
【００４８】
図１８に表す状態で、デッキベース２０１のねじ穴にねじ２３１ｂ及び２３１ｃが挿入される。
【００４９】
図１９（ａ）乃至（ｃ）は、デッキベース２０１のねじ穴２５１ｂ及び２５１ｃの各々にねじ２３１ｂ及び２３１ｃの各々が挿入された様子を表す図である。
【００５０】
この状態で、ねじ２３１ｂ及び２３１ｃの各々の上端とデッキベース２０１の上面である面９０１ａとの距離である高さｈｂ及びｈｃは、スペーサ部２４６の上面である面９０１ｓと面９０１ａとの距離である高さｈｓよりわずかに高くされている。そのため、面９０１ｓの上方には微小な隙間である隙間９１２が生じている。
【００５１】
図１９（ａ）乃至（ｃ）においては、ガイドローラ部材１０６は、突部２２６、ねじ２３１ｂの上端及びねじ２３１ｃの上端の上に載置されている。
【００５２】
その後、ねじ２３１ｂ及び２３１ｃの各々の、ねじ穴２５１ｂ及び２５１ｃの各々への挿入量を微調整することにより、回転軸２１１のデッキベース上面に対する角度を決める。当該微調整の具体的な方法は、本実施形態と関係しないので、その説明は省略される。
【００５３】
その後、図２０に表すように、ねじ３０６の軸が、穴２５６を通り、ねじ穴２５３に挿入されることにより、台座２２１はデッキベース２０１に固定され、台座２２１に固定されている回転軸２１１のデッキベース上面に対する、微調整された角度は維持される。
【００５４】
この状態において、スペーサ部２４６は、第二実施形態の治具３０１のようには除去されず、維持されている。また、この状態において、スペーサ部２４６の上方の隙間９１２も維持されている。
【００５５】
図２０（ａ）におけるスペーサ部２４６の左端は、台座２２１の左端の、下方に重なるようにある。そのため、図２０の状態においてはスペーサ部２４６が磁気テープ装置の他の構成の位置と干渉することはほとんどあり得ない。このことは、スペーサ部２４６の左端が、台座２２１の左端の、右下にある場合も同様である。
【００５６】
なお、本実施形態の以上の説明では、スペーサ部はデッキベースに固定されている場合について説明したが、スペーサ部はデッキベースではなく台座に固定されていても構わない。
［効果］
本実施形態のガイドローラ部材及びデッキベース（ガイドローラ部材等）は、ガイドローラ部材のデッキベースに対する傾きの粗調整を行うためのスペーサをデッキベース又は台座が備える。そのため、本実施形態のガイドローラ部材等は、第一実施形態のガイドローラ部材等のように、前記粗調整に第一実施形態で説明した治具３０１のようなものを用いる必要がない。そのため、第二実施形態のガイドローラ部材等は、前記粗調整に要する手間を少なくすることができる。
【００５７】
図２１は、実施形態の部材の最小限の構成である部材２０２ｘの構成を表すブロック図である。
【００５８】
部材２０２ｘは、基体２０１ｘとガイドローラ部材１０６ｘとを備える。
【００５９】
ガイドローラ部材１０６ｘは、基体２０１ｘに固定され所定のテープの進行方向を決めるためのものである。ガイドローラ部材１０６ｘは、図示しない、基部と、前記基部に固定された回転軸とを備える。前記基部は、基体２０１ｘを貫通する複数のねじ穴に挿通された複数のねじの先端部と前記基部に接続又は接触された突部に、基体２０１ｘに関し前記回転軸と同じ側で同時に接触する。
【００６０】
そのため、前記回転軸の基体２０１ｘに対する角度は、二つのねじの各々の前記基体からの突出長さにより調整され得る。そのため、部材２０２ｘは、ガイドローラ部材の基体に対する傾きの調整が可能である。
【００６１】
そのため、部材２０２ｘは、前記構成により、［発明の効果］の項に記載した効果を奏する。
【００６２】
なお、図２１に表す部材２０２ｘは、例えば、図２乃至図２０に表す、ガイドローラ部材１０６とデッキベース２０１との組合せである。また、基体２０１ｘは、例えば、図２乃至図２０に表す、デッキベース２０１である。また、ガイドローラ部材１０６ｘは、例えば、図２乃至図２０に表す、ガイドローラ部材１０６である。また、前記回転軸は、例えば、図２乃至図２０に表す、回転軸２１１である。また、前記突部は、例えば、図３、図４、図６乃至図８、図１０、図１１、図１３、図１５、図１６、図１８及び図１９に表す突部２２６である。また、前記複数のねじ穴は、例えば、図５乃至図８、図１０、図１１、図１３及び図１７乃至図２０に表すねじ穴２５１ｂ及び２５１ｃである。また、前記複数のねじは、例えば、図３、図５乃至図１１、図１３、図１５、及び図１７乃至図２０に表すねじ２３１ｂ及び２３１ｃである。
【００６３】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【００６４】
また、前記の実施形態の一部又は全部は、以下の付記のようにも記述され得るが、以下には限られない。
（付記１）
基体と、該基体に固定され所定のテープの進行方向を決めるガイドローラ部材とを備え、
前記ガイドローラ部材は、基部と、前記基部に固定された回転軸とを備え、
前記基部は、前記基体を貫通する複数のねじ穴に挿通された複数のねじの先端部と前記基部に接続又は接触された突部に、前記基体に関し前記回転軸と同じ側で同時に接触する、
部材。
（付記２）
前記基体と前記基部との間にスペーサが設けられている、付記１に記載された部材。
（付記３）
前記スペーサは前記複数のねじのうちの一つと他の一つとの間に設けられている、付記２に記載された部材。
（付記４）
前記スペーサは、前記基体と前記基部とのうちのいずれか一方に接続されている、付記２又は付記３に記載された部材。
（付記５）
前記スペーサの厚みは、前記突部の前記基体からの高さよりも薄い、付記２乃至付記４のうちのいずれか一に記載された部材。
（付記６）
前記ガイドローラ部材は、前記固定の前に、前記基体の上の前記突部と前記スペーサとの上に載置され得る、付記２乃至付記５のうちのいずれか一に記載された部材。
（付記７）
前記固定は、前記基部に形成された第三ねじ穴に、前記基体に形成された穴を介して、第三ねじが挿入されることにより行われる、付記２乃至付記６のうちのいずれか一に記載された部材。
（付記８）
前記回転軸と前記テープに接触するガイドローラとは、ベアリング部材を介して接続されている、付記２乃至付記７のうちのいずれか一に記載された部材。
（付記９）
前記テープが磁気テープである付記１乃至付記８のうちのいずれか一に記載された部材。
（付記１０）
磁気テープ装置に用い得るものである、付記９に記載された部材。
（付記１１）
前記基体が前記磁気テープ装置のデッキベースである、付記１０に記載された部材。
（付記１２）
付記１乃至付記８のうちのいずれか一に記載された部材を備え、前記テープが磁気テープである磁気テープ装置。
（付記１３）
基体と、テープを所定の位置に導くための、前記基体に固定されたガイドローラ部材とからなり、
前記ガイドローラ部材は、基部と、前記基部に固定された回転軸と、前記回転軸の周囲を回転し得るガイドローラを備え、
前記基部は、前記基体に形成された第一ねじ穴に挿入された第一ねじの先端部と、前記基体に形成された第二ねじ穴に挿入された第二ねじの先端部と、前記基部に接続又は接触された突部と、の上に設置された上で固定されている、
部材、
における、前記回転軸と前記基体とのなす角度を調整する方法であって、
前記基体の上のスペーサ及び前記突部の上に前記ガイドローラ部材を載置し、
前記第一ねじの先端部及び前記第二ねじの先端部の各々の前記基体からの高さを調整し、
その後に前記固定を行う、
調整方法。
（付記１４）
前記スペーサは、前記基体及び前記基部のうちのいずれかに接続されている、付記１３に記載された調整方法。
（付記１５）
前記スペーサは、前記基体及び前記基部のうちのいずれにも接続されておらず、前記調整の後に除去される、付記１３に記載された調整方法。
（付記１６）
前記テープが磁気テープである付記１３乃至付記１５のうちのいずれか一に記載された調整方法。
（付記１７）
前記部材が磁気テープ装置に用い得るものである、付記１３乃至付記１５のうちのいずれか一に記載された調整方法。
（付記１８）
前記基体が前記磁気テープ装置のデッキベースである、付記１７に記載された調整方法。
【符号の説明】
【００６５】
１００    磁気テープ装置
１０６、１０６ａ、１０６ｂ、１０６ｃ、１０６ｄ    ガイドローラ部材
２００    ガイドローラ
２０１    デッキベース
２１１    回転軸
２１６    ベアリング
２２１    台座
２２６    突部
２３１ｂ、２３１ｃ    ねじ
２３６ａ、２３６ｂ    ベアリング部材
２４６    スペーサ部
２５１ｂ、２５１ｃ、２５３    ねじ穴
２５６    穴
２６１    リール
２７１    面
２７２    滑り止め
３０１    治具
３０６    ねじ
３０７    軸
３１１    ワッシャー
９０１ａ、９０１ｂ、９０１ｃ、９０１ｄ    面
９１２    隙間
９９８ａ、９９８ｂ、９９８ｃ    線
【図１】
2020070179.tif 000003
【図２】
2020070179.tif 000004
【図３】
2020070179.tif 000005
【図４】
2020070179.tif 000006
【図５】
2020070179.tif 000007
【図６】
2020070179.tif 000008
【図７】
2020070179.tif 000009
【図８】
2020070179.tif 000010
【図９】
2020070179.tif 000011
【図１０】
2020070179.tif 000012
【図１１】
2020070179.tif 000013
【図１２】
2020070179.tif 000014
【図１３】
2020070179.tif 000015
【図１４】
2020070179.tif 000016
【図１５】
2020070179.tif 000017
【図１６】
2020070179.tif 000018
【図１７】
2020070179.tif 000019
【図１８】
2020070179.tif 000020
【図１９】
2020070179.tif 000021
【図２０】
2020070179.tif 000022
【図２１】
2020070179.tif 000023
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
基体と、該基体に固定され所定のテープの進行方向を決めるガイドローラ部材とを備え、
前記ガイドローラ部材は、基部と、前記基部に固定された回転軸とを備え、
前記基部は、前記基体を貫通する複数のねじ穴に挿通された複数のねじの先端部と前記基部に接続又は接触された突部に、前記基体に対して前記回転軸が位置する側で同時に接触し、
前記突部は前記基体及び前記基部のうちのいずれかに接続されており、
前記基体と前記基部との間に前記基体及び前記基部のうちのいずれにも接続されていないスペーサが設けられており、
前記スペーサの厚みは、前記突部の前記基体からの高さよりも薄い、
部材。
【請求項２】
前記スペーサは前記複数のねじのうちの一つと他の一つとの間に設けられている、請求項１に記載された部材。
【請求項３】
前記スペーサは、前記基体と前記基部とのうちのいずれか一方に接続されている、請求項１又は請求項２に記載された部材。
【請求項４】
前記ガイドローラ部材は、前記固定の前に、前記基体の上の前記突部と前記スペーサとの上に載置され得る、請求項１乃至請求項３のうちのいずれか一に記載された部材。
【請求項５】
請求項１乃至請求項４のうちのいずれか一に記載された部材を備え、前記テープが磁気テープである磁気テープ装置。
【請求項６】
基体と、テープを所定の位置に導くための、前記基体に固定されたガイドローラ部材とからなり、
前記ガイドローラ部材は、基部と、前記基部に固定された回転軸と、前記回転軸の周囲を回転し得るガイドローラを備え、
前記基部は、前記基体に形成された第一ねじ穴に挿入された第一ねじの先端部と、前記基体に形成された第二ねじ穴に挿入された第二ねじの先端部と、前記基部に接続又は接触された突部と、の上に設置された上で固定されている、
部材、
における、前記回転軸と前記基体とのなす角度を調整する方法であって、
前記基体の上のスペーサ及び前記突部の上に前記ガイドローラ部材を載置し、
前記第一ねじの先端部及び前記第二ねじの先端部の各々の前記基体からの高さを調整し、
その後に前記固定を行い、
前記突部は前記基体及び前記基部のうちのいずれかに接続されており、
前記スペーサは、前記基体及び前記基部のうちのいずれにも接続されておらず、前記調整の後に除去される、
調整方法。